(57)【要約】【課題】１つの装置から別の複数の装置へ光分岐装置を介して簡易に識別番号を付与することができる光伝送装置を提供する。【解決手段】本光伝送装置は、例えばマスター装置１と複数のスレーブ装置２〜４を備える。マスター装置１から送信される光信号は光分岐装置５５により分岐され、複数のスレーブ装置２〜４で受信される。一方、複数のスレーブ装置２〜４から送信される光信号は光結合装置６５により結合され、マスター装置１で受信される。マスター装置１から複数のスレーブ装置２〜４にそれぞれ異なる識別番号を付与する際に用いるため、例えばマスター装置１からの信号により個別に入り切り可能なスレーブ装置用の電源部２０、３０、４０が各スレーブ装置２〜４に対応して設けられる。【選択図】      図３
2004343469.tif 000002
【特許請求の範囲】
【請求項１】
光送信器および光受信器を有する第１の装置と、光送信器および光受信器を有する複数の第２の装置と、前記第１の装置の光送信器からの光信号を分岐して前記複数の第２の装置の各光受信器に伝送する光分岐装置と、前記複数の第２の装置の各光送信器からの光信号を結合して前記第１の装置の光受信器に伝送する光結合装置とを備えた光伝送装置であって、前記第１の装置から前記複数の第２の装置にそれぞれ異なる識別番号を付与する際に前記複数の第２の装置が前記第１の装置からの制御信号により前記識別番号を受信し得る状態とされることを特徴とする光伝送装置。
【請求項２】
前記第１の装置からの制御信号が、前記複数の第２の装置を個別に動作または非動作状態とするための信号であり、前記複数の第２の装置は前記制御信号により動作状態になった後に前記識別番号の受信を待機する状態となることを特徴とする請求項１記載の光伝送装置。
【請求項３】
前記第１の装置からの制御信号が、前記複数の第２の装置への電源の供給を個別に入り切りする信号であることを特徴とする請求項２記載の光伝送装置。
【請求項４】
前記第１の装置からの制御信号が、前記複数の第２の装置を個別にリセットまたはリセット解除する信号であることを特徴とする請求項２記載の光伝送装置。
【請求項５】
前記第１の装置が、動作状態とされた前記第２の装置との間で通信経路を自動的に確立させる機能を有することを特徴とする請求項２〜４のいずれかに記載の光伝送装置。
【請求項６】
前記第１の装置からの制御信号が、前記複数の第２の装置が前記識別番号を受信し得る状態にするための信号であることを特徴とする請求項１記載の光伝送装置。
【請求項７】
前記第１の装置が、前記識別番号を受信し得る状態とした第２の装置との間で通信経路を自動的に確立させる機能を有することを特徴とする請求項１または６記載の光伝送装置。
【請求項８】
前記第２の装置が、既に識別番号を付与されている場合に、前記第１の装置から伝送されてくる異なる識別番号を無視する機能を有することを特徴とする請求項１〜７のいずれかに記載の光伝送装置。
【請求項９】
前記第１の装置が、識別番号を付与する動作を実行するよりも前に前記第１の装置と接続可能な前記第２の装置の数量を上位装置より報知されていることを特徴とする請求項１〜８のいずれかに記載の光伝送装置。
【請求項１０】
前記第１の装置が、電源を供給していない前記複数の第２の装置のうちの１つに対して電源を供給し、前記電源を供給した第２の装置との間で自動的に通信経路を確立した後に前記電源を供給した第２の装置に対して識別番号付与フレームを送信し、事前に報知されている前記第２の装置の搭載数全てに識別番号を報知するまで前記識別番号付与フレームを送信する動作を繰り返し、全ての前記第２の装置に識別番号を報知したのち待機解除フレームを送信するものであり、かつ、前記第２の装置が、受信した信号に前記識別番号付与フレームが存在するか否かを判定し、前記識別番号付与フレームが存在したとき識別番号記憶装置に識別番号を保持し、識別番号を保持したあと待機解除フレームを受信するまで待機状態とし、待機状態のとき識別番号付与フレームを受信しても無視し、前記待機解除フレームを受信したか否かを判定し、前記待機解除フレームを受信したとき前記第１の装置との通信を可能にする通常動作状態へ移行するものであることを特徴とする請求項３記載の光伝送装置。
【請求項１１】
前記第２の装置が、電源が供給されたあと前記第１の装置に対して特定のパターン信号を送信するものであり、かつ、前記第１の装置が、前記第２の装置から前記パターン信号が送られてきたかどうかを判定し、前記パターン信号を受信したあと前記電源を供給した第２の装置との間で自動的に通信経路を確立するものであることを特徴とする請求項１０記載の光伝送装置。
【請求項１２】
前記第１の装置が、リセットを解除していない前記複数の第２の装置のうちの１つに対してリセットを解除し、前記リセットを解除した第２の装置との間で自動的に通信経路を確立した後に前記リセットを解除した第２の装置に対して識別番号付与フレームを送信し、事前に報知されている前記第２の装置の搭載数全てに識別番号を報知するまで前記識別番号付与フレームを送信する動作を繰り返し、全ての前記第２の装置に識別番号を報知したのち待機解除フレームを送信するものであり、かつ、前記第２の装置が、受信した信号に前記識別番号付与フレームが存在するか否かを判定し、前記識別番号付与フレームが存在したとき識別番号記憶装置に識別番号を保持し、識別番号を保持したあと待機解除フレームを受信するまで待機状態とし、待機状態のとき識別番号付与フレームを受信しても無視し、前記待機解除フレームを受信したか否かを判定し、前記待機解除フレームを受信したとき前記第１の装置との通信を可能にする通常動作状態へ移行するものであることを特徴とする請求項４記載の光伝送装置。
【請求項１３】
前記第２の装置が、リセット解除されたあと前記第１の装置に対して特定のパターン信号を送信するものであり、かつ、前記第１の装置が、前記第２の装置から前記パターン信号が送られてきたかどうかを判定し、前記パターン信号を受信したあと前記リセットを解除した第２の装置との間で自動的に通信経路を確立するものであることを特徴とする請求項１２記載の光伝送装置。
【請求項１４】
前記第１の装置が、識別番号を付与していない前記複数の第２の装置のうちの１つに対して識別番号を付与するための信号を送信し、前記識別番号を付与するための信号を受信した第２の装置との間で自動的に通信経路を確立した後に前記識別番号を付与するための信号を受信した第２の装置に対して識別番号付与フレームを送信し、事前に報知されている前記第２の装置の搭載数全てに識別番号を報知するまで前記識別番号付与フレームを送信する動作を繰り返し、全ての前記第２の装置に識別番号を報知したのち待機解除フレームを送信するものであり、かつ、前記第２の装置が、受信した信号に前記識別番号付与フレームが存在するか否かを判定し、前記識別番号付与フレームが存在したとき識別番号記憶装置に識別番号を保持し、識別番号を保持したあと待機解除フレームを受信するまで待機状態とし、待機状態のとき識別番号付与フレームを受信しても無視し、前記待機解除フレームを受信したか否かを判定し、前記待機解除フレームを受信したとき前記第１の装置との通信を可能にする通常動作状態へ移行するものであることを特徴とする請求項６または７記載の光伝送装置。
【請求項１５】
前記第２の装置が、識別番号を付与するための信号を受信したあと前記第１の装置に対して特定のパターン信号を送信するものであり、かつ、前記第１の装置が、前記第２の装置から前記パターン信号が送られてきたかどうかを判定し、前記パターン信号を受信したあと前記識別番号を付与するための信号を受信した第２の装置との間で自動的に通信経路を確立するものであることを特徴とする請求項１４記載の光伝送装置。
【請求項１６】
光送信器および光受信器を有する第１の装置と、光送信器および光受信器を有する複数の第２の装置と、前記第１の装置の光送信器からの光信号を分岐して前記複数の第２の装置の各光受信器に伝送する光分岐装置と、前記複数の第２の装置の各光送信器からの光信号を結合して前記第１の装置の光受信器に伝送する光結合装置とを備えた光伝送装置における前記第１の装置から前記複数の第２の装置への識別番号付与方法であって、前記第１の装置からの制御信号により前記複数の第２の装置のうちの１つを動作状態または識別番号を受信し得る状態とする工程と、前記第１の装置と前記動作状態または識別番号を受信し得る状態とされた第２の装置との間の通信経路を確立する工程と、前記第１の装置から前記動作状態または識別番号を受信し得る状態とされた第２の装置に前記通信経路を介して識別番号付加フレームを送信する工程と、前記動作状態とされた第２の装置において前記識別番号付加フレームから識別番号を読み取って記憶する工程とを有し、残りの前記第２の装置に対して前記複数の工程を順次実行することを特徴とする識別番号付与方法。
【請求項１７】
前記第１の装置からの制御信号が、前記複数の第２の装置への電源の供給を個別に入り切りする信号であることを特徴とする請求項１６記載の識別番号付与方法。
【請求項１８】
前記第１の装置からの制御信号が、前記複数の第２の装置を個別にリセットまたはリセット解除する信号であることを特徴とする請求項１６記載の識別番号付与方法。
【請求項１９】
前記第１の装置からの制御信号が、前記複数の第２の装置を個別に識別番号を付与し得る状態にする信号であることを特徴とする請求項１６記載の識別番号付与方法。
【請求項２０】
前記第１の装置は、前記複数の第２の装置に識別番号を付与する動作を実行するよりも前に前記第２の装置の数量の上限値が設定されており、かつ前記第２の装置の数量は報知されていないことを特徴とする請求項１６〜１９のいずれかに記載の識別番号付与方法。
【請求項２１】
前記第２の装置が、動作状態とされるかまたは識別番号を付与するための信号を受信したあとに前記第１の装置に対して特定のパターン信号を送信し、前記第１の装置が、前記パターン信号を受信したあと前記動作状態とされた第２の装置との間で自動的に通信経路を確立することを特徴とする請求項１６〜２０のいずれかに記載の識別番号付与方法。
【請求項２２】
前記第２の装置が、既に識別番号を付与されている場合に、前記第１の装置から伝送されてくる異なる識別番号を無視することを特徴とする請求項１６〜２０のいずれかに記載の識別番号付与方法。
【発明の詳細な説明】
【０００１】
【発明の属する技術分野】
本発明は、１つの装置から別の複数の装置へ光分岐装置を介して識別番号を付与して相互間で通信を行う光伝送装置に関するものである。
【０００２】
【従来の技術】
従来から、光ファイバは、その特性を活かして主に基幹通信用途で利用されている。それを用いた信号伝送方式は、送信側と受信側をそれぞれ１対１に接続した伝送を基本としている。
【０００３】
一方、近年の超大規模集積回路（ＶＬＳＩ）の開発により、データ処理システムで使用する回路基板の回路機能が大幅に増大してきている。また、回路機能が増大化するにつれて各回路基板で使用する信号線数も増大化し、さらに各基板間をつなぐケーブルの芯線数も増大化してきた。このようなシステムにおいては、従来のような電線による伝送方式では、ケーブルの特性インピーダンスの不整合による反射や、電線の長さのばらつきからくる信号遅延、あるいは電線からの不要輻射による放射電磁界ノイズが避けられず、これらは信号の高速化を図る上で障害となっていた。
【０００４】
この種の問題を解決する手段として光伝送による方法がある。光伝送で光ファイバを使用すれば不要輻射による放射電磁界ノイズを発生させることなく信号の高速化を図ることができ、さらに信号をシリアル化することで光ファイバの本数を少なくすることも可能である。以上のような理由により光ファイバは基幹通信用途に留まらず徐々に機器間、機器内、あるいはボード上のチップ間の信号伝送に応用が進みつつある。
【０００５】
このような応用を考えるとき、光ファイバの接続方法を１対１に限定していては利用範囲が広がらないので、信号光を合流または分流するために１対多、もしくは多対多の接続方法が必要となる。その際、光ファイバを１対多、多対多接続するために光分岐結合装置（光分岐装置および／または光結合装置）が使用される。これは、例えば光スターカプラのような部品が用いられるが、特許文献１に記載のような光拡散部を備えた光シートバスを用いることもできる。
【特許文献１】
特開平１０−１２３３５０号公報
【０００６】
また、プロセッサを有する演算モジュールとメモリを有する複数のメモリモジュールとの間のデータの電送を担うバスモジュールにおいて、演算モジュールとメモリモジュールとの相互間で伝送される信号を光信号で伝送する技術が、特許文献２および特許文献３に記載されている。この技術は、バス配線を電気的に接続したときの、消費電力の増加、コストアップ、スキューによる伝送エラーなどの問題に対する解決を提案するものである。
【特許文献２】
特開平１１−３９０６９号公報
【特許文献３】
特開平１１−３９２５１号公報
【０００７】
ここで、バスモジュールは光信号の共通伝送路を形成するもので、光信号を拡散して伝搬する光導波路を備える。この光導波路は、プロセッサを搭載する１つの装置（以後「マスター装置」と呼ぶ）とメモリなどを搭載する１つ以上の装置（以後「スレーブ装置」と呼ぶ）とを接続するものであるが、複数のスレーブ装置は通常全く同一の装置が用意される。この光導波路は、光信号を分散させる機能を有するため、全スレーブ装置が同一の信号を同タイミングで受信することになる。スレーブ装置自身は、その受信した信号より自身に関係する信号と判断したときマスター装置に要求された動作を実行する。
【０００８】
スレーブ装置自身がそれぞれ受信した信号より自身に関係する信号であると判断できるようにするため、各スレーブ装置にそれぞれ識別番号を持たせる。簡単なやり方としては、例えば装置にいくつかのスイッチを搭載し、各スレーブ装置にそれぞれ異なった設定を行う。この設定と送信されてきた信号とを対比して、自身に関係あれば要求された動作を実行し、関係なければ無視する。しかし、この場合、スレーブ装置にスイッチを設けることによるコストの増加や、スレーブ装置毎に異なった設定をすることによる人為的ミスの発生などの問題が考えられる。
【０００９】
一方、特許文献４には、局側装置と１台以上の加入者側装置がスターカプラを介して光伝送路により接続されている光伝送装置において、局側装置がそれぞれの加入者側装置に対して相異なる識別番号を付与する機能を有するようにした技術が開示されている。
【特許文献４】
特開２０００−１３４２６号公報
【００１０】
この技術では、加入者側装置は通常の通信処理機能に加えて、受信した光信号をそれぞれ構成する複数フレーム中の識別番号付与フレームの内容により信号の内容を判断する機能と、受信した光信号をそれぞれ構成する複数フレーム中の識別番号付与フレームのなかの特定スロットに識別番号の付与を開始するための識別番号付与起動信号がセットされていた場合に、乱数を発生させ、その乱数を識別番号付与起動信号の受信確認信号にセットして、その乱数に応じた時間だけ送出時間を遅延させて局側装置に送出する機能と、次の周期である第２周期目の識別番号付与フレーム中の他の特定スロットに、受信確認信号にセットした乱数がセットされている場合に、識別番号付与フレーム中の他の特定スロットにセットされる識別番号を読み込み、一時的に識別番号を保持する機能と、識別番号を保持した場合に識別番号を保持したことを通知する識別番号受け取り完了信号を送信する機能と、第３周期目の識別番号付与フレーム中の特定スロットにセットされた識別番号付与結果信号から保持した識別番号を自分の識別番号として記憶してよいか否かを判断する機能とを備える。
【００１１】
【発明が解決しようとする課題】
しかしながら、上述の技術は、光伝送装置に接続されている加入者側装置が不特定多数であり、また加入者が局側に対して遠隔地に所在するためではあるが、識別番号を局側装置が加入者側装置に割り付けるための手段、あるいは不具合が発生しないようにするための手段などが複雑であり、その手段を実現する装置自体のコストや開発工数が大きいという問題がある。
【００１２】
従って本発明の目的は、１つの装置から別の複数の装置へ光分岐装置を介して簡易に識別番号を付与することができる光伝送装置を提供することにある。
【００１３】
【課題を解決するための手段】
上記目的は、光送信器および光受信器を有する第１の装置と、光送信器および光受信器を有する複数の第２の装置と、前記第１の装置の光送信器からの光信号を分岐して前記複数の第２の装置の各光受信器に伝送する光分岐装置と、前記複数の第２の装置の各光送信器からの光信号を結合して前記第１の装置の光受信器に伝送する光結合装置とを備えた光伝送装置であって、前記第１の装置から前記複数の第２の装置にそれぞれ異なる識別番号を付与する際に前記複数の第２の装置が前記第１の装置からの制御信号により前記識別番号を受信し得る状態とされる光伝送装置により、達成される。
【００１４】
ここで、前記第１の装置からの制御信号は、前記複数の第２の装置を個別に動作または非動作状態とするための信号であり、前記複数の第２の装置は前記制御信号により動作状態になった後に前記識別番号の受信を待機する状態となることができる。前記第１の装置からの制御信号は、前記複数の第２の装置への電源の供給を個別に入り切りする信号、または、前記複数の第２の装置を個別にリセットまたはリセット解除する信号とすることができる。前記第１の装置は、動作状態とされた前記第２の装置との間で通信経路を自動的に確立させる機能を有することができる。前記第１の装置からの制御信号は、前記複数の第２の装置が前記識別番号を受信し得る状態にするための信号とすることができる。また前記第１の装置は、前記識別番号を受信し得る状態とした第２の装置との間で通信経路を自動的に確立させる機能を有することができる。前記第２の装置は、既に識別番号を付与されている場合に、前記第１の装置から伝送されてくる異なる識別番号を無視する機能を有することができる。前記第１の装置は、識別番号を付与する動作を実行するよりも前に前記第１の装置と接続可能な前記第２の装置の数量を上位装置より報知されるようにすることができる。
【００１５】
また、前記第１の装置は、電源を供給していない前記複数の第２の装置のうちの１つに対して電源を供給し、前記電源を供給した第２の装置との間で自動的に通信経路を確立した後に前記電源を供給した第２の装置に対して識別番号付与フレームを送信し、事前に報知されている前記第２の装置の搭載数全てに識別番号を報知するまで前記識別番号付与フレームを送信する動作を繰り返し、全ての前記第２の装置に識別番号を報知したのち待機解除フレームを送信することができる。また、前記第２の装置は、受信した信号に前記識別番号付与フレームが存在するか否かを判定し、前記識別番号付与フレームが存在したとき識別番号記憶装置に識別番号を保持し、識別番号を保持したあと待機解除フレームを受信するまで待機状態とし、待機状態のとき識別番号付与フレームを受信しても無視し、前記待機解除フレームを受信したか否かを判定し、前記待機解除フレームを受信したとき前記第１の装置との通信を可能にする通常動作状態へ移行することができる。ここで、前記第２の装置は、電源が供給されたあと前記第１の装置に対して特定のパターン信号を送信し、かつ、前記第１の装置は、前記第２の装置から前記パターン信号が送られてきたかどうかを判定し、前記パターン信号を受信したあと前記電源を供給した第２の装置との間で自動的に通信経路を確立することができる。
【００１６】
また、前記第１の装置は、リセットを解除していない前記複数の第２の装置のうちの１つに対してリセットを解除し、前記リセットを解除した第２の装置との間で自動的に通信経路を確立した後に前記リセットを解除した第２の装置に対して識別番号付与フレームを送信し、事前に報知されている前記第２の装置の搭載数全てに識別番号を報知するまで前記識別番号付与フレームを送信する動作を繰り返し、全ての前記第２の装置に識別番号を報知したのち待機解除フレームを送信することができる。また、前記第２の装置は、受信した信号に前記識別番号付与フレームが存在するか否かを判定し、前記識別番号付与フレームが存在したとき識別番号記憶装置に識別番号を保持し、識別番号を保持したあと待機解除フレームを受信するまで待機状態とし、待機状態のとき識別番号付与フレームを受信しても無視し、前記待機解除フレームを受信したか否かを判定し、前記待機解除フレームを受信したとき前記第１の装置との通信を可能にする通常動作状態へ移行することができる。ここで、前記第２の装置は、リセット解除されたあと前記第１の装置に対して特定のパターン信号を送信し、前記第１の装置は、前記第２の装置から前記パターン信号が送られてきたかどうかを判定し、前記パターン信号を受信したあと前記リセットを解除した第２の装置との間で自動的に通信経路を確立することができる。
さらに、前記第１の装置は、識別番号を付与していない前記複数の第２の装置のうちの１つに対して識別番号を付与するための信号を送信し、前記識別番号を付与するための信号を受信した第２の装置との間で自動的に通信経路を確立した後に前記識別番号を付与するための信号を受信した第２の装置に対して識別番号付与フレームを送信し、事前に報知されている前記第２の装置の搭載数全てに識別番号を報知するまで前記識別番号付与フレームを送信する動作を繰り返し、全ての前記第２の装置に識別番号を報知したのち待機解除フレームを送信するものであり、かつ、前記第２の装置が、受信した信号に前記識別番号付与フレームが存在するか否かを判定し、前記識別番号付与フレームが存在したとき識別番号記憶装置に識別番号を保持し、識別番号を保持したあと待機解除フレームを受信するまで待機状態とし、待機状態のとき識別番号付与フレームを受信しても無視し、前記待機解除フレームを受信したか否かを判定し、前記待機解除フレームを受信したとき前記第１の装置との通信を可能にする通常動作状態へ移行することができる。
ここで前記第２の装置は、識別番号を付与するための信号を受信したあと前記第１の装置に対して特定のパターン信号を送信するものであり、かつ、前記第１の装置が、前記第２の装置から前記パターン信号が送られてきたかどうかを判定し、前記パターン信号を受信したあと前記識別番号を付与するための信号を受信した第２の装置との間で自動的に通信経路を確立するものとすることができる。
【００１７】
本発明に係る識別番号付与方法は、光送信器および光受信器を有する第１の装置と、光送信器および光受信器を有する複数の第２の装置と、前記第１の装置の光送信器からの光信号を分岐して前記複数の第２の装置の各光受信器に伝送する光分岐装置と、前記複数の第２の装置の各光送信器からの光信号を結合して前記第１の装置の光受信器に伝送する光結合装置とを備えた光伝送装置における前記第１の装置から前記複数の第２の装置への識別番号付与方法であって、前記第１の装置からの制御信号により前記複数の第２の装置のうちの１つを動作状態または識別番号を受信し得る状態とする工程と、前記第１の装置と前記動作状態または識別番号を受信し得る状態とされた第２の装置との間の通信経路を確立する工程と、前記第１の装置から前記動作状態または識別番号を受信し得る状態とされた第２の装置に前記通信経路を介して識別番号付加フレームを送信する工程と、前記動作状態とされた第２の装置において前記識別番号付加フレームから識別番号を読み取って記憶する工程とを有し、残りの前記第２の装置に対して前記複数の工程を順次実行するものである。
【００１８】
ここで、前記第１の装置からの制御信号は、前記複数の第２の装置への電源の供給を個別に入り切りする信号、または前記複数の第２の装置を個別にリセットまたはリセット解除する信号とすることができる。前記第１の装置からの制御信号は、前記複数の第２の装置を個別に識別番号を付与し得る状態にする信号とすることができる。前記第１の装置は、前記複数の第２の装置に識別番号を付与する動作を実行するよりも前に前記第２の装置の数量の上限値が設定されており、かつ前記第２の装置の数量は報知されていないようにすることができる。前記第２の装置は、動作状態とされるかまたは識別番号を付与するための信号を受信したあとに前記第１の装置に対して特定のパターン信号を送信し、前記第１の装置が、前記パターン信号を受信したあと前記動作状態とされた第２の装置との間で自動的に通信経路を確立することができる。前記第２の装置は、既に識別番号を付与されている場合に、前記第１の装置から伝送されてくる異なる識別番号を無視することができる。
このように構成することにより、１つの装置から別の複数の装置へ光分岐装置を介して簡易に識別番号を付与することが可能となる。
【００１９】
【発明の実施の形態】
以下、本発明の実施例を詳述するが、その前に本発明の対象とされる光伝送装置の構成例を説明する。
図１は、光伝送装置の構成例を示す図である。機構系の動作や画像系処理用のＡＳＩＣ（Ａｐｐｌｉｃａｔｉｏｎ  ｓｐｅｃｉｆｉｃ  ＩＣ）などを制御する場合などに使われるＣＰＵ（Ｃｅｎｔｒａｌ  Ｐｒｏｃｅｓｓｉｎｇ  Ｕｎｉｔ：中央演算処理装置）には、ＣＰＵとその周辺デバイス（ＡＳＩＣ，メモリなど）を電気的に接続し制御するためにＣＰＵインターフェースとも呼ばれるＣＰＵバスがある。そのＣＰＵバスの双方向データバスを光ファイバ接続で実現しようとするとき、図１に示すように、光信号の系統を送信側と受信側の２系統に分割する必要がある。
【００２０】
本例の光伝送装置は、図１に示すように、マスター装置１と複数のスレーブ装置２〜４を備える。マスター装置１は、ＣＰＵ（プロセッサ）１１、ディジタルＡＳＩＣ１２、光送信器１３、および光受信器１４を有する。光送信器１３は、１つ又は複数のレーザダイオード（ＬＤ）等の発光素子１３１、その駆動回路１３２、および光ファイバとの結合用の光コネクタ１３３を有する。光受信器１４は、１つ又は複数のフォトダイオード（ＰＤ）等の受光素子１４１、受信回路１４２、および光ファイバとの結合用の光コネクタ１４３を有する。ＡＳＩＣ１２には所定のクロック１５が与えられる。
【００２１】
スレーブ装置２〜４は同一構成とすることができ、それぞれメモリ２１、３１、４１、ディジタルＡＳＩＣ２２、３２、４２、光送信器２３、３３、４３、および光受信器２４、３４、４４を有する。光送信器２３、３３、４３はマスター装置の場合と同様に、１つ又は複数のレーザダイオード（ＬＤ）等の発光素子、その駆動回路、および光ファイバとの結合用の光コネクタ２３３、３３３、４３３を有する。光受信器２４、３４、４４も同様に、１つ又は複数のフォトダイオード（ＰＤ）等の受光素子、受信回路、および光ファイバとの結合用の光コネクタ２４３、３４３、４４３を有する。なお、スレーブ装置２をメインスレーブ、スレーブ装置３、４をサブスレーブとすることもできる。
【００２２】
マスター装置１と各スレーブ装置２〜４との間は、下り用の光伝送路５と上り用の光伝送路６とにより接続される。下り用の光伝送路５は、光ファイバ５１、光分岐装置５５、および複数の光ファイバ５２〜５４を有する。上り用の光伝送路６は、光ファイバ６１、光結合装置６５、および複数の光ファイバ６２〜６４を有する。図１に示すように、光ファイバ５１は光コネクタ１３３に接続され、光ファイバ５２〜５４は光コネクタ２４３、３４３、４４３と接続される。また、光ファイバ６１は光コネクタ１４３に接続され、光ファイバ６２〜６４は光コネクタ２３３、３３３、４３３と接続される。ここで、光ファイバとしては、例えばプラスチック光ファイバ（ＰＯＦ）を用いることができるが、これに限定されない。光分岐装置５５および光結合装置６５としては、例えばスターカプラ、または透過光拡散部を備えた光シートバス（特開平１０−１２３３５０号公報、特開平１０−２８２３７１号公報など）を用いることができる。なお、マスター装置１およびスレーブ装置２〜４には、図示しない電源装置から電源が供給される。
【００２３】
図２は、図１の光伝送装置における信号の流れの一例を示す図である。本図は、下り１０チャンネル（Ｄ０〜Ｄ８，ＣＬＫ）、上り５チャンネル（Ｄ‘０〜Ｄ’３，ＣＬＫ）の場合を示している。ＣＰＵ（プロセッサ）を搭載している基板であるマスター装置１からＡＳＩＣやメモリなどを搭載している基板であるスレーブ装置２〜４にデータを書込むときは、マスター装置１からアドレスＡＤ、データＤＡ、ライトＷＲ、チップセレクトＣＳなどの各制御信号および誤り訂正符号やフレームクロック（ＣＬＫ）等のその他の信号ＯＴを光送信器から光伝送路５を介して送信する。各スレーブ装置２〜４はこれらの信号を光受信器により受信する。またマスター装置１がスレーブ装置２〜４のデータを読み取るときは、まずマスター装置１からアドレスＡＤ、リードＲＥ、チップセレクトＣＳなどの信号を光送信器から光伝送路５を介して送信すると、スレーブ装置２〜４が光受信器により受信した信号に従い動作を実行する。そしてスレーブ装置２〜４は光送信器から光伝送路６を介してデータＤＡおよび誤り訂正符号ＣＯなどの信号をマスター装置１に送る。本例では、戻りのフレームクロック（ＣＬＫ’）信号は送らない。マスター装置１は光受信器によりそのデータ信号等を受信しデータを受け取ることができる。
【００２４】
マスター装置１から光分岐装置５５を経由してスレーブ装置に光信号を送信する場合、１対１接続による伝送の場合とは異なり、マスター装置１からの光信号は全てのスレーブ装置２〜４に送信されることになる。これは光分岐装置５５で分岐された信号が各スレーブ装置にそれぞれ到達するからである。従って、各スレーブ装置の受信側では自分に関係している信号であるかどうかを判定し、その結果、自分に対して送信されている信号であるならばその信号を受け取り、そうでなければ無視する判定装置を備える。この判定を行うために、各スレーブ装置には固有の識別番号が記憶されている。この識別番号はマスター装置より各スレーブ装置に付与することができる。
【００２５】
ここで、マスター装置より各スレーブ装置に識別番号を付与するときには工夫が必要である。それは、何も手当することなく、マスター装置から光分岐装置を経由して特定のスレーブ装置に固有の識別番号を付与しようとすると、この固有の識別番号が全てのスレーブ装置に送信されてしまうからである。以下、本発明により、マスター装置より各スレーブ装置に識別番号を付与する方法について説明する。
【００２６】
図３は、本発明に係る光伝送装置の一実施例を示す図である。本図において、図１と異なるところは、各スレーブ装置２、３、４への電源の供給の仕方にある。即ち、本実施例では、オン／オフ可能な電源部（もしくは電源供給を行う中継部による電源供給素子でも良い）２０、３０、４０がスレーブ装置２、３、４にそれぞれ対応して設けられている。電源部２０、３０、４０は、外部電源５０に接続されており、マスター装置１のＣＰＵ１１からの信号によりオン／オフすることができる。このように構成することにより、電源部がオンされたスレーブ装置は動作状態となりマスター装置からの信号を受け取ることができ、電源部がオフのスレーブ装置は非動作状態でありマスター装置からの信号を受け取ることができない。これを利用して、マスター装置から複数のスレーブ装置に簡単かつ容易に異なる識別番号を付与することができる。次に識別番号付与の方法を詳述する。
【００２７】
マスター装置からスレーブ装置に識別番号を付与する方法は、マスター装置がスレーブ装置の搭載数量を知っているかどうかで手段が異なる。以下、まず、識別番号付与シーケンスの動作前にマスター装置にスレーブ装置の総数が設定されている場合について説明し、その次にスレーブ装置の総数が設定されていない場合について説明する。
【００２８】
図４は、識別番号付与シーケンスの動作前にマスター装置にスレーブ装置総数が設定されている場合の動作フローチャートの一例を示す図で、（ａ）はマスター装置、（ｂ）はスレーブ装置に係るものである。マスター装置１に外部から電源が供給（投入）されると（Ｍ４１）、マスター装置１は自身の初期設定を実行したのち、各スレーブ装置に対して識別番号を報知するためのシーケンス（Ｎ＝１）を実行する（Ｍ４２）。マスター装置１は、識別番号を報知していないスレーブ装置が有るかどうかを判断し（Ｍ４３）、有る場合は電源部の１つ、例えば電源部２０をオンにしてスレーブ装置２の電源を投入する（Ｍ４４、Ｓ４１）。電源を供給されたスレーブ装置２は自身の初期設定を実施したのちマスター装置１からの通信経路を確立させるためのシーケンスが実行されるのを待つ。
【００２９】
マスター装置１はスレーブ装置２が初期設定が完了したころを見計らって通信経路を自動確立する為のシーケンスを実行させ、マスター装置１とスレーブ装置２間の通信を可能な状態とする（Ｍ４５、Ｓ４２）。マスター装置１は、識別番号を付与するためのシーケンスを実行し、識別番号付加フレームを送信する（Ｍ４６）。これを受信したスレーブ装置２は、識別番号付加フレームの有無を判別し（Ｓ４３）、有りの場合、このフレームから識別番号を読み取り（抽出し）（Ｓ４４）、識別番号記憶装置に識別番号を記憶、保持させる（Ｓ４５）。識別番号を保持したスレーブ装置２は他スレーブ装置が識別番号を取得できるまで待機状態を維持する（Ｓ４６）。
【００３０】
マスター装置１は、Ｎ＝Ｎ＋１とし（Ｍ４７）、上記ステップを繰り返す。即ち、次のスレーブ装置３に識別番号を報知するため、電源部３０をオンにしてスレーブ装置３に電源を供給する。スレーブ装置３は前記と同じく通信経路を確立した後、識別番号付加フレームの受信のため待機する。マスター装置１は前に使った識別番号と異なる番号を送信し、これを受信したスレーブ装置３は識別記憶装置に記憶したのち待機状態に移行する。既に識別番号を取得した待機状態にあるスレーブ装置２はこの識別番号付加フレームを受信しても無視する。マスター装置１は識別番号付与シーケンスに入る前にあらかじめ設定されているスレーブ装置全数量に対して識別番号を付与する動作を繰り返す。全てのスレーブ装置に識別番号を付与した後、マスター装置は待機状態になっているスレーブ装置に対して待機状態からマスター装置とスレーブ装置間の通信を可能にする通常動作状態へ移行させるため待機解除フレームを送信する（Ｍ４８）。これを受信したスレーブ装置は、待機解除フレーム有りとなり（Ｓ４７）、待機状態から通信可能状態（通常動作状態）に移行する（Ｓ４８）。
【００３１】
図５は、マスター装置がスレーブ装置搭載数量を知らない場合の動作フローチャートの一例を示す図で、（ａ）はマスター装置、（ｂ）はスレーブ装置に係るものである。マスター装置１に外部から電源が供給（投入）されると（Ｍ５１）、マスター装置１は自身の初期設定を実行したのち、各スレーブ装置に対して識別番号を報知するためのシーケンス（Ｎ＝１）を実行する（Ｍ５２）。マスター装置１は、スレーブ装置２〜４に電源を供給する電源部２０、３０、４０をオン／オフするオン／オフ信号を備えており、その１つ、例えば電源部２０をオンする（Ｍ５３）。これによりスレーブ装置２は電源が投入され（Ｓ５１）、自身の初期設定を実施したのち自身が搭載されていることをマスター装置１に報知するために、決まったパターンの光信号をマスター装置１に送信する（Ｓ５２）。
【００３２】
パターン信号を受信したマスター装置１は（Ｍ５４）、通信経路を自動確立するためのシーケンスを実行させ、マスター装置１とスレーブ装置２間の通信を可能な状態とする（Ｍ５５、Ｓ５３）。マスター装置１は、識別番号を付与するためのシーケンスを実行し、識別番号付加フレームを送信する（Ｍ５６）。これを受信したスレーブ装置２は、識別番号付加フレームの有無を判別し（Ｓ５４）、有りの場合、このフレームから識別番号を読み取り（抽出し）（Ｓ５５）、識別番号記憶装置に識別番号を記憶、保持させる（Ｓ５６）。識別番号を保持したスレーブ装置２は他のスレーブ装置が識別番号を取得できるまで待機状態を維持する（Ｓ５７）。
【００３３】
次に、マスター装置１は、Ｎ＝Ｎ＋１とし（Ｍ５７）、上記ステップを繰り返す。即ち、次のスレーブ装置３に識別番号を報知するため、電源部３０をオンしてスレーブ装置３に電源を供給する。スレーブ装置３は前記と同じく通信経路を確立した後、識別番号付加フレームの受信のため待機する。マスター装置１は前に使った識別番号と異なる番号を送信し、これを受信したスレーブ装置３は識別記憶装置に記憶したのち待機状態に移行する。既に識別番号を取得した待機状態にあるスレーブ装置２はこの識別番号付加フレームを受信しても無視する。マスター装置１は、スレーブ装置の電源投入直後の決まったパターン信号を受信できなくなったとき、もしくは識別番号付与シーケンスを実行する前にあらかじめ上位装置などから報知されているスレーブ装置の搭載上限値に達したときのいずれかの場合に、搭載されているスレーブ装置全てに対して識別番号を付与できたと判断する。マスター装置１は待機状態になっているスレーブ装置２〜４に対して待機状態からマスター装置とスレーブ装置間の通信を可能にする通常動作状態へ移行させるため待機解除フレームを送信する（Ｍ５８）。これを受信したスレーブ装置は、待機解除フレーム有りとなり（Ｓ５８）、待機状態から通信可能状態（通常動作状態）に移行する（Ｓ５９）。
【００３４】
上記実施例では、スレーブ装置の電源供給を個別に入り切りするマスター装置からの制御信号により識別番号を付与するスレーブ装置を選択したが、スレーブ装置を個別にリセットまたはリセット解除するマスター装置からの制御信号により識別番号を付与するスレーブ装置を選択することもできる。次にその例を図６を用いて説明する。
【００３５】
図６は、本発明に係る光伝送装置の他の実施例を示す図である。本図において、図１と異なるところは、マスター装置１からスレーブ装置２、３、４にリセット信号２８、３８、４８が個別に付与され得る点である。この場合、図１の場合と同様に、マスター装置１およびスレーブ装置２〜４には、図示しない電源装置から電源が供給される。リセット信号２８、３８、４８は、マスター装置１のＣＰＵ１１から出力することができる。このリセット信号により、リセット解除されたスレーブ装置は動作状態となりマスター装置からの信号を受け取ることができ、リセットされたスレーブ装置は非動作状態でありマスター装置からの信号を受け取ることができない。これを利用して、図３の場合と同様にして、マスター装置から複数のスレーブ装置に簡単かつ容易に異なる識別番号を付与することができる。
【００３６】
図６を用いて、更に本発明に係る光伝送装置の他の実施例を説明する。本図において、前述でリセット信号２８、３８、４８とした、マスター装置１からスレーブ装置２〜４への信号を、識別番号を付与するための制御信号２８、３８、４８とすることもできる。この場合、図１の場合と同様に、マスター装置１およびスレーブ装置２〜４には、図示しない電源装置から電源が供給される。識別番号付与信号２８、３８、４８は、マスター装置１のＣＰＵ１１から出力することができる。電源を供給されたスレーブ装置２〜４は初期設定を実行したのち識別番号付与信号がアサートされるのを待つ。この識別番号付与信号がアサートされたスレーブ装置は、マスター装置との通信経路を自動確立するためのシーケンスを実行し終えたあと、識別番号を付与し得る状態となり、マスター装置からの識別番号を受け取ることができる。識別番号付与信号がアサートされていないスレーブ装置はマスター装置からの識別番号の信号を受け取ることができない。これを利用して、図３の場合と同様にして、マスター装置から複数のスレーブ装置に簡単かつ容易に異なる識別番号を付与することができる。
【００３７】
以上のように構成することにより、各々のスレーブ装置に対して機械的な手段で識別番号を付与する煩わしさやその時の人的ミスを抑制することができる。また、それによってコスト低減や開発工数の削減が可能となる。さらに、スレーブ装置数量をマスター装置が知らなくても識別番号を付与できるため、スレーブ装置数量の変動に応じて、その都度マスター装置の設定を変更する必要がなくなるという利点もある。
【００３８】
【発明の効果】
本発明によれば、１つの装置から別の複数の装置へ光分岐装置を介して簡易に識別番号を付与することができる光伝送装置を得ることができる。
【図面の簡単な説明】
【図１】光伝送装置の構成例を示す図である。
【図２】図１の光伝送装置における信号の流れの一例を示す図である。
【図３】本発明に係る光伝送装置の一実施例を示す図である。
【図４】識別番号付与シーケンスの動作前にマスター装置にスレーブ装置総数が設定されている場合の動作フローチャートの一例を示す図で、（ａ）はマスター装置、（ｂ）はスレーブ装置に係るものである。
【図５】マスター装置がスレーブ装置搭載数量を知らない場合の動作フローチャートの一例を示す図で、（ａ）はマスター装置、（ｂ）はスレーブ装置に係るものである。
【図６】本発明に係る光伝送装置の他の実施例を示す図である。
【符号の説明】
１  マスター装置
２〜４  スレーブ装置
５、６  光伝送路
１１  ＣＰＵ
１２，２２，３２，４２  ＡＳＩＣ
１３，２３，３３，４３  光送信器
１４，２４，３４，４４  光受信器
２０、３０、４０  電源部
５１〜５４，６１〜６４  光ファイバ
５５  光分岐装置
６５  光結合装置
【図１】
2004343469.tif 000003
【図２】
2004343469.tif 000004
【図３】
2004343469.tif 000005
【図４】
2004343469.tif 000006
【図５】
2004343469.tif 000007
【図６】
2004343469.tif 000008